(57)【要約】【課題】自動車のシートに着脱自在に装着することができるシートベルトを提供する。【解決手段】シートベルト１０は第１のベルト２０、第２のベルト３０、第１のリング状金具４０、第２のリング状金具５０、第３のリング状金具６０、第４のリング状金具７０および連結具８０を備えている。第１のベルト２０の一端部２１に第１および第２のリング状金具４０、５０を連結し、第１のベルト２０をシートの背もたれの下側に配置されたフレームに巻きつけて、第１のベルト２０の他端部２２側を第１のリング状金具４０、第２のリング状金具５０を通し、さらに、第１のリング状金具４０を通して、第１のベルト２０を前記フレームに固定可能である。同様にして、第２のベルト３０の一端部３１に連結した第３および第４のリング状金具６０、７０により、第２のベルト３０を前記フレームに固定可能である。【選択図】図１
2008290599.tif 000002
【特許請求の範囲】
【請求項１】
第１のベルト、第２のベルト、第１のリング状金具、第２のリング状金具、第３のリング状金具、第４のリング状金具および面ファスナー等の連結具を備え、
前記第１のベルトの一端部に前記第１および第２のリング状金具を連結し、
前記第２のベルトの一端部に前記第３および第４のリング状金具を連結し、
前記第１のベルトをシートの背もたれの下側に配置されたフレームに巻きつけて、前記第１のベルトの他端部側を前記第１のリング状金具の内側を通し、さらに、前記第２のリング状金具の内側を通し、さらに、前記第１のリング状金具の内側を通して、前記第１のベルトを前記シートの背もたれの下側に配置されたフレームに固定可能で、
前記第２のベルトを前記シートの背もたれの下側に配置されたフレームに巻きつけて、前記第２のベルトの他端部側を前記第３のリング状金具の内側を通し、さらに、前記第４のリング状金具の内側を通し、さらに、前記第３のリング状金具の内側を通して、前記第２のベルトを前記シートの背もたれの下側に配置されたフレームに固定可能で、
前記連結具は前記第１のベルトと第２のベルトを着脱自在に連結できることを特徴とするシートベルト。
【請求項２】
請求項１記載のシートベルトであって、
前記第１のリング状金具の形状と第２のリング状金具の形状が同じであり、前記第３のリング状金具の形状と第４のリング状金具の形状が同じであることを特徴とするシートベルト。
【発明の詳細な説明】
【技術分野】
【０００１】
本発明は、マイクロバス等のシートに着脱自在に装着できるシートベルトに関するものである。
【背景技術】
【０００２】
従来、自動車のシートにはシートベルトが取り付けられている（例えば特許文献１参照）。シートベルトは自動車のシートに座っている人を保護するためのものである。しかし、幼稚園や保育園の送迎用のマイクロバス等においては、シートベルトについては道路交通法において規制されていないので、前記マイクロバス等にシートベルトを装着するか否かは自由である。このため、前記マイクロバス等が工場から出荷される段階では、通常前記マイクロバス等にはシートベルトが装着されていない。
しかし、前記マイクロバス等に任意にシートベルトを付加して前記マイクロバス等のシートに座っている人を保護する場合がある。
【特許文献１】特開２００７−６２４２１号公報
【発明の開示】
【発明が解決しようとする課題】
【０００３】
しかし、従来のシートベルトは、自動車のシートに固定されているので、必要に応じてシートベルトを着脱自在にシートに装着することはできないという問題があった。
そこで、本発明の目的は、マイクロバス等のシートに着脱自在に装着することができるシートベルトを提供することである。
【課題を解決するための手段】
【０００４】
上記課題を解決するため、請求項１記載の発明は、第１のベルト、第２のベルト、第１のリング状金具、第２のリング状金具、第３のリング状金具、第４のリング状金具および面ファスナー等の連結具を備え、前記第１のベルトの一端部に前記第１および第２のリング状金具を連結し、前記第２のベルトの一端部に前記第３および第４のリング状金具を連結し、前記第１のベルトをシートの背もたれの下側に配置されたフレームに巻きつけて、前記第１のベルトの他端部側を前記第１のリング状金具の内側を通し、さらに、前記第２のリング状金具の内側を通し、さらに、前記第１のリング状金具の内側を通して、前記第１のベルトを前記シートの背もたれの下側に配置されたフレームに固定可能で、前記第２のベルトを前記シートの背もたれの下側に配置されたフレームに巻きつけて、前記第２のベルトの他端部側を前記第３のリング状金具の内側を通し、さらに、前記第４のリング状金具の内側を通し、さらに、前記第３のリング状金具の内側を通して、前記第２のベルトを前記シートの背もたれの下側に配置されたフレームに固定可能で、前記連結具は前記第１のベルトと第２のベルトを着脱自在に連結できることを特徴とするシートベルトである。
【０００５】
請求項１記載の発明により、第１のベルトをシートの背もたれの下側に配置されたフレームに巻きつけて、第１のベルトの他端部側を第１のベルトの一端部に連結された第１のリング状金具の内側を通し、さらに、第１のベルトの一端部に連結された第２のリング状金具の内側を通し、さらに、前記第１のリング状金具の内側を通して、引っ張って第１のベルトを前記フレームに固定できる。
さらに、第２のベルトをシートの背もたれの下側に配置されたフレームに巻きつけて、第２のベルトの他端部側を第２のベルトの一端部に連結された第３のリング状金具の内側を通し、さらに、第２のベルトの一端部に連結された第４のリング状金具の内側を通し、さらに、前記第３のリング状金具の内側を通して、引っ張って第２のベルトを前記フレームに固定できる。
そして、シートに座った人の胴体に巻き付けるように第１のベルトおよび第２のベルトを配置し、面ファスナー等の連結具により前記第１のベルトと第２のベルトを着脱自在に連結して、前記人の身体をシートに固定することができる。
【０００６】
さらに、請求項２記載の発明は、請求項１記載のシートベルトであって、前記第１のリング状金具の形状と第２のリング状金具の形状が同じであり、前記第３のリング状金具の形状と第４のリング状金具の形状が同じであることを特徴とするシートベルトである。
【０００７】
請求項２記載の発明により、第１のベルトをシートの背もたれの下側に配置されたフレームに巻きつけて、第１のベルトの他端部側を第１のベルトの一端部に連結された第１のリング状金具の内側を通し、さらに、第１のベルトの一端部に連結された第２のリング状金具の内側を通し、さらに、第１のリング状金具の内側を通して、引っ張って第１のベルトをシートの背もたれの下側に配置されたフレームに固定したときに、第１のリング状金具の形状と第２のリング状金具の形状が同じであるので、第１のリング状金具と第２のリング状金具とが重なるため、第１のベルトが第１のリング状金具と第２のリング状金具により挟まれて強固に固定される。
そして、第２のベルトについても、第３のリング状金具の形状と第４のリング状金具の形状が同じであるので、第１のベルトの場合と同様にして、第２のベルトをシートの背もたれの下側に配置されたフレームに固定したときに、第３のリング状金具と第４のリング状金具とが重なるため、第２のベルトが第３のリング状金具と第４のリング状金具により挟まれて強固に固定される。
【発明の効果】
【０００８】
請求項１記載の発明によれば、シートベルトをマイクロバス等のシートに着脱自在に装着することができる。
さらに、請求項２記載の発明によれば、請求項１記載の発明の効果とともに、マイクロバス等のシートのフレームにシートベルトを強固に固定することができる。
【発明を実施するための最良の形態】
【０００９】
以下、本発明における実施の形態を図面に基づいて説明する。
図１は本発明の実施の形態に係わるシートベルトを示し、（ａ）は第１のベルト側部分を示し、（ｂ）は第２のベルト側部分を示す。さらに、図２は前記シートベルトを装着するマイクロバス等のシート等を示し、図３は前記シートのフレームにシートベルトの第１のベルトを固定する手順を示し、図４は図３の手順のつぎの手順を示し、図５は図４の手順のつぎの手順を示す。さらに、図６はシートベルトを前記フレームに固定した状態を示し、図７は図６のシートベルトを使用できる状態を示し、図８は図７のシートベルトの第１のベルトおよび第２のベルトを着脱自在に結合した状態を示す。さらに、図９は前記フレームに固定した第１および第２のベルトをシートの後側から示し、図１０は前記シートベルトの使用状態を示す。
【００１０】
図１に示すように、シートベルト１０は、第１のベルト２０、第２のベルト３０、第１のリング状金具４０、第２のリング状金具５０、第３のリング状金具６０、第４のリング状金具７０および連結具８０を備えている。
【００１１】
図１（ａ）に示すように、第１のベルト２０の一端部２１に第１のリング状金具４０および第２のリング状金具５０が連結されている。一方、図１（ｂ）に示すように、第２のベルト３０の一端部３１に第３のリング状金具６０および第４のリング状金具７０が連結されている。
具体的には、第１のリング状金具４０、第２のリング状金具５０、第３のリング状金具６０および第４のリング状金具７０は、同じ形状であり、アルファベットのＤ字状に形成されている。
そして、第１のリング状金具４０のＤ字の直線部分４１および第２のリング状金具５０のＤ字の直線部分５１は第１のベルト２０の一端部２１に連結されている。なお、一端部２１を各直線部分４１、５１を取り巻くように重ねて縫い合わせることにより前記連結をしている。
同様に、第２のベルト３０の一端部３１を第３のリング状金具６０のＤ字の直線部分６１および第４のリング状金具７０のＤ字の直線部分７１を取り巻くように重ねて縫い合わせることにより各直線部分６１、７１が第２のベルト３０の一端部３１に連結されている。
【００１２】
図２に示すように、シート１はフレーム３によりマイクロバス等の車両の室内の床４の上に固定されている。なお、図２においては、シートベルト１０（図１参照）を装着する予定のシート１が通常の位置（二点鎖線で示す位置）から上方に回転させられている。
そして、図３に示すように、第１のベルト２０をシート１（図２参照）の背もたれ２の下側に配置されたフレーム３の横パイプ部３ａに巻きつけて、第１のベルト２０の他端部２２側を第１のリング状金具４０の内側を通し、さらに、第１のベルト２０の他端部２２側を第２のリング状金具５０の内側を通す。さらに、図４に示すように、第１のベルト２０の他端部２２側を第１のリング状金具４０の内側を通して、図５に示すように、第１のベルト２０をフレーム３の横パイプ部３ａに固定可能である。
【００１３】
さらに、図６に示すように、第２のベルト３０をシート１の背もたれ２の下側に配置されたフレーム３の横パイプ部３ａに巻きつけて、第２のベルト３０の他端部３２側を第３のリング状金具６０の内側を通し、さらに、第４のリング状金具７０の内側を通し、さらに、第３のリング状金具６０の内側を通して、第２のベルト３０をフレーム３の横パイプ部３ａに固定可能である。
そして、シート１を元の位置に戻すと、図７に示すようになる。なお、図９は図の状態をシート１の後方から見た状態を示している。
【００１４】
そして、図８に示すように、連結具８０は第１のベルト２０と第２のベルト３０を着脱自在に連結できる。具体的には、図７に示すように、連結具８０は例えば面ファスナーであり、面ファスナーの一方の部分８１が第１のベルト２０の他端部２２側に縫い合わせ等により取り付けられ、前記面ファスナーの他方の部分８２が第２のベルト３０の他端部３２側に縫い合わせ等により取り付けられている。
【００１５】
以上の構成のシートベルト１０は、以下の動作をする。
第１のベルト２０をシート１の背もたれ２の下側に配置されたフレーム３の横パイプ部３ａに巻きつけて、第１のベルト２０の他端部２２側を第１のベルト２０の一端部２１に連結された第１のリング状金具４０の内側を通し、さらに、第１のベルト２０の一端部２１に連結された第２のリング状金具５０の内側を通し、さらに、第１のリング状金具４０の内側を通して、引っ張って第１のベルト２０をフレーム３の横パイプ部３ａに固定できる。
【００１６】
さらに、第２のベルト３０をシート１の背もたれ２の下側に配置されたフレーム３の横パイプ部３ａに巻きつけて、第２のベルト３０の他端部３２側を第２のベルト３０の一端部３１に連結された第３のリング状金具６０の内側を通し、さらに、第２のベルト３０の一端部３１に連結された第４のリング状金具７０の内側を通し、さらに、第３のリング状金具６０の内側を通して、引っ張って第２のベルト３０をフレーム３の横パイプ部３ａに固定できる。
【００１７】
そして、図１０に示すように、シート１に座った例えばカバンを背負った幼児等の人９０の胴体９１に巻き付けるように第１のベルト２０および第２のベルト３０を配置し、連結具８０により第１のベルト２０と第２のベルト３０を着脱自在に連結して、人９０の身体をシート１に固定することができる。
【００１８】
さらに、第１のベルト２０をフレーム３の横パイプ部３ａに巻きつけて、第１のベルト２０の他端部２２側を第１のベルト２０の一端部２１に連結された第１のリング状金具４０の内側を通し、さらに、第１のベルト２０の一端部２１に連結された第２のリング状金具５０の内側を通し、さらに、第１のリング状金具４０の内側を通して、引っ張って第１のベルト２０をフレーム３の横パイプ部３ａに固定したときに、第１のリング状金具４０の形状と第２のリング状金具５０の形状が同じであるので、第１のリング状金具４０と第２のリング状金具５０とが重なるため、第１のベルト２０が第１のリング状金具４０と第２のリング状金具５０により挟まれて強固に固定される。
【００１９】
そして、第２のベルト３０についても、第３のリング状金具６０の形状と第４のリング状金具７０の形状が同じであるので、第１のベルト２０の場合と同様にして、第２のベルト３０をフレーム３の横パイプ部３ａに固定したときに、第３のリング状金具６０と第４のリング状金具７０とが重なるため、第２のベルト３０が第３のリング状金具６０と第４のリング状金具７０により挟まれて強固に固定される。
【００２０】
なお、上記実施の形態においては各リング状金具４０、５０、６０、７０の形状は同一であるが、これに限定されず、第１および第２のリング状金具４０、５０の形状が同一で
、第３および第４のリング状金具６０、７０の形状が同一であればよい。
また、連結具８０は面ファスナーであるが、これに限定されず、バックル等でもよい。
【図面の簡単な説明】
【００２１】
【図１】本発明の実施の形態に係わるシートベルトを示す斜視図であり、（ａ）は第１のベルト側部分を示し、（ｂ）は第２のベルト側部分を示す。
【図２】前記シートベルトを装着するマイクロバス等のシート等を示す斜視図である。
【図３】前記シートのフレームにシートベルトの第１のベルトを固定する手順を示す斜視図である。
【図４】図３の手順のつぎの手順を示す斜視図である。
【図５】図４の手順のつぎの手順を示す斜視図である。
【図６】シートベルトを前記フレームに固定した状態を示す斜視図である。
【図７】図６のシートベルトを使用できる状態を示す斜視図である。
【図８】図７のシートベルトの第１のベルトおよび第２のベルトを着脱自在に結合した状態を示す斜視図である。
【図９】前記フレームに固定した第１および第２のベルトをシートの後側から示す斜視図である。
【図１０】前記シートベルトの使用状態を示す説明図である。
【符号の説明】
【００２２】
１  シート
２  背もたれ
３  フレーム
１０  シートベルト
２０  第１のベルト
２１  一端部
２２  他端部
３０  第２のベルト
３１  一端部
３２  他端部
４０  第１のリング状金具
５０  第２のリング状金具
６０  第３のリング状金具
７０  第４のリング状金具
８０  連結具
【図１】
2008290599.tif 000003
【図２】
2008290599.tif 000004
【図３】
2008290599.tif 000005
【図４】
2008290599.tif 000006
【図５】
2008290599.tif 000007
【図６】
2008290599.tif 000008
【図７】
2008290599.tif 000009
【図８】
2008290599.tif 000010
【図９】
2008290599.tif 000011
【図１０】
2008290599.tif 000012